(57)【要約】  ワイヤレス通信システム中で、制御チャネルに対するインターレースベースのスケジューリングを提供するシステムと方法を説明する。ワイヤレス通信システム中の基地局と移動体端末との間の通信用の１つ以上の制御チャネルを、システム中の各フレームインターレースの１つ以上の状況に基づいて、システム中の１つ以上のフレームインターレースにおいてスケジュールしてもよい。これらの状況は、フレームインターレースの間のオーバーヘッドバランスと、スケジュールしている基地局におけるフレームインターレースに対する処理タイムライン最適化と、移動体端末における断続的な送信（ＤＴＸ）の望ましさとを含んでもよい。【選択図】図１
2009538062.tif 000002
【特許請求の範囲】
【請求項１】
ワイヤレス通信システム中で制御チャネルをスケジュールする方法において、
１つ以上のフレームインターレースに対する制御チャネル負荷とデータチャネル負荷とのうちの１つ以上を決定することと、
前記ワイヤレス通信システム中の１つ以上の移動体端末に対する電力制限を決定することと、
前記移動体端末に対する決定された電力制限と、前記フレームインターレースに対する決定されたデータチャネル負荷および前記フレームインターレースに対する決定された制御チャネル負荷のうちの１つ以上と、に少なくとも部分的に基づき、少なくとも１つのインターレースのうちの１つ以上のフレームにおいて、前記１つ以上の移動体端末中の１つの移動体端末との通信用の１つ以上の制御チャネルをスケジュールすることと
を含み、
各フレームインターレースは、フォワードリンクおよびリバースリンク上に複数のフレームを有する方法。
【請求項２】
前記１つ以上の制御チャネルをスケジュールすることは、ＣＤＭＡ制御チャネルをスケジュールすることを含む、請求項１記載の方法。
【請求項３】
前記ＣＤＭＡ制御チャネルはＣＤＭＡ制御セグメントに対応し、前記ＣＤＭＡ制御チャネルをスケジュールすることは、前記移動体端末を前記ＣＤＭＡ制御セグメントのサブセグメントに対してマッピングすることを含む、請求項２記載の方法。
【請求項４】
前記制御チャネル負荷とデータチャネル負荷とのうちの１つ以上を決定することは、前記ＣＤＭＡ制御セグメントの各サブセグメントに対する制御チャネル負荷を決定することを含む、請求項３記載の方法。
【請求項５】
前記１つ以上の制御チャネルをスケジュールすることは、ＯＦＤＭＡ制御チャネルをスケジュールすることを含む、請求項１記載の方法。
【請求項６】
前記ＯＦＤＭＡ制御チャネルはＯＦＤＭＡ制御セグメントに対応し、前記ＯＦＤＭＡ制御チャネルをスケジュールすることは、前記ＯＦＤＭＡ制御セグメントの一部を前記移動体端末に対して割り振ることを含む、請求項５記載の方法。
【請求項７】
前記１つ以上の制御チャネルをスケジュールすることは、ＣＤＭＡ制御チャネルおよびＯＦＤＭＡ制御チャネルをスケジュールすることを含む、請求項１記載の方法。
【請求項８】
前記１つ以上の制御チャネルをスケジュールすることは、前記移動体端末が、共通のフレームにおいて、前記ＣＤＭＡ制御チャネルおよび前記ＯＦＤＭＡ制御チャネルの両方の上で送信しないように、１つ以上のフレームインターレースのうちのフレームにおいて、前記ＣＤＭＡ制御チャネルおよび前記ＯＦＤＭＡ制御チャネルをスケジュールすることを含む、請求項７記載の方法。
【請求項９】
前記１つ以上の制御チャネルをスケジュールすることは、肯定応答チャネルをスケジュールすることを含む、請求項１記載の方法。
【請求項１０】
前記１つ以上の制御チャネルをスケジュールすることは、前記移動体端末に対する媒体アクセス制御識別子（ＭＡＣ−ＩＤ）に少なくとも部分的に基づき、肯定応答チャネルをスケジュールすることをさらに含む、請求項９記載の方法。
【請求項１１】
通信に対してスケジュールされた少なくとも１つの制御チャネルを使用して、前記リバースリンク中のフレームにおいて、前記移動体端末からシグナリングを受信することをさらに含む、請求項１記載の方法。
【請求項１２】
前記移動体端末からシグナリングを受信することは、
前記リバースリンク中のフレームの第１のブロックにおいて、第１の制御チャネル上で、前記移動体端末から第１のシグナリングを受信することと、
前記リバースリンク中のフレームの第２のブロックにおいて、第２の制御チャネル上で、前記移動体端末から第２のシグナリングを受信することと
を含む、請求項１１記載の方法。
【請求項１３】
前記シグナリングは、肯定応答と、否定応答と、チャネル品質情報と、要求とのうちの１つ以上を含む、請求項１１記載の方法。
【請求項１４】
前記１つ以上の制御チャネルをスケジュールすることは、前記フレームインターレースに対する、決定された状況における変化に少なくとも部分的に基づき、移動体端末との通信用の前記１つ以上の制御チャネルを動的に再スケジュールすることを含む、請求項１記載の方法。
【請求項１５】
ワイヤレス通信装置において、
１つ以上のフレームインターレースに関連するデータを記憶するメモリと、
前記１つ以上のフレームインターレースに対する負荷状況と、１つ以上のアクセス端末からの１つのアクセス端末に対する電力状況とのうちの少なくとも１つを決定し、前記決定された負荷状況と、前記決定された電力状況とのうちの少なくとも１つに基づき、前記１つ以上のフレームインターレースのうちの少なくとも１つのフレームにおいて、前記１つ以上のアクセス端末のうちの１つとの通信用の制御チャネルをスケジュールするように構成されているプロセッサと
を具備し、
各フレームインターレースは、フォワードリンクおよびリバースリンク上に複数のフレームを有するワイヤレス通信装置。
【請求項１６】
前記プロセッサは、前記リバースリンク上の前記アクセス端末との通信用に、ＣＤＭＡ制御チャネルと、ＯＦＤＭＡ制御チャネルと、肯定応答チャネルとのうちの少なくとも１つをスケジュールするようにさらに構成されている、請求項１５記載のワイヤレス通信装置。
【請求項１７】
前記プロセッサは、スケジュールされたフレームのうちの何れかにおいて、前記ＣＤＭＡ制御チャネルと前記ＯＦＤＭＡ制御チャネルとのうちの１つだけが、通信用に使用されてもよいように、前記１つ以上のフレームインターレースのうちの少なくとも１つのフレームにおいて、前記アクセス端末との通信用に、前記ＣＤＭＡ制御チャネルおよび前記ＯＦＤＭＡ制御チャネルをスケジュールするようにさらに構成されている、請求項１６記載のワイヤレス通信装置。
【請求項１８】
前記メモリは、前記アクセス端末に対する識別コードに関連するデータをさらに記憶し、前記プロセッサは、前記アクセス端末に対する識別コードに少なくとも部分的に基づき、前記制御チャネルをスケジュールするようにさらに構成されている、請求項１５記載のワイヤレス通信装置。
【請求項１９】
前記プロセッサは、フレームインターレースにおいて複数の制御チャネルを累積させることを少なくとも部分的に行うことによって、１つ以上のフレームインターレースにおいて、制御チャネルをスケジュールするようにさらに構成されており、これによって、前記アクセス端末における断続的な送信の使用を容易にする、請求項１５記載のワイヤレス通信装置。
【請求項２０】
前記プロセッサは、前記１つ以上のフレームインターレースの間の負荷状況における、または、前記アクセス端末に対する電力状況における差を最小化させることを少なくとも部分的に行うことによって、１つ以上のフレームインターレースにおいて、制御チャネルをスケジュールするようにさらに構成されている、請求項１５記載のワイヤレス通信装置。
【請求項２１】
ワイヤレス通信システム中で制御チャネルのスケジューリングを容易にする装置において、
リバースリンク上のフレームを１つ以上のフレームインターレースにグループ化する手段と、
前記１つ以上のフレームインターレースにおける負荷と、ワイヤレス端末に対する電力制限とを決定する手段と、
前記１つ以上のフレームインターレースにおける決定された負荷と、前記ワイヤレス端末に対する決定された電力制限とのうちの少なくとも１つに基づき、前記１つ以上のフレームインターレースのうちの少なくとも１つにおいて、前記ワイヤレス端末との通信用の１つ以上の制御チャネルをスケジュールする手段と
を具備する装置。
【請求項２２】
前記リバースリンク上のフレームをグループ化する手段は、不連続的なフレームを前記１つ以上のフレームインターレースにグループ化する、請求項２１記載の装置。
【請求項２３】
前記１つ以上のフレームインターレースのそれぞれは、互いに均一な距離を有するフレームを含み、前記均一な距離は、インターレース期間に対応する、請求項２１記載の装置。
【請求項２４】
前記１つ以上の制御チャネルをスケジュールする手段は、フォワードリンク上の前記ワイヤレス端末に対するデータの通信中で暗黙的に、前記ワイヤレス端末に対して、前記１つ以上のスケジュールされた制御チャネルを通信する手段を備える、請求項２１記載の装置。
【請求項２５】
前記１つ以上の制御チャネルをスケジュールする手段は、前記ワイヤレス端末に対する識別コードに少なくとも部分的に基づき、制御チャネルをスケジュールする手段を備える、請求項２１記載の装置。
【請求項２６】
前記１つ以上の制御チャネルをスケジュールする手段は、前記１つ以上のフレームインターレースにおける決定された負荷の、または、前記ワイヤレス端末に対する電力制限の変更に少なくとも部分的に基づき、前記１つ以上の制御チャネルを再スケジュールする手段を備える、請求項２１記載の装置。
【請求項２７】
ワイヤレス通信システム中で制御チャネルをスケジュールするためのコンピュータ実行可能命令を記憶しているコンピュータ読取可能媒体において、
前記命令は、
１つ以上のフレームインターレースにおける負荷を決定することと、
端末に対する電力状況を決定することと、
前記決定された負荷および電力状況に少なくとも部分的に基づき、少なくとも１つのフレームインターレースのうちの１つ以上のフレームにおいて、前記端末との通信用の１つ以上の制御チャネルを割り当てることと、
前記１つ以上の割り当てられた制御チャネル上で、前記端末から制御情報を受信することと
を含むコンピュータ読取可能媒体。
【請求項２８】
前記１つ以上の制御チャネルは、ＣＤＭＡ制御チャネルと、ＯＦＤＭＡ制御チャネルと、肯定応答チャネルとのうちの少なくとも１つを含む、請求項２７記載のコンピュータ読取可能媒体。
【請求項２９】
前記制御情報を受信する命令は、割り当てられたフレームインターレースのうちの第１のフレームにおいて、ＣＤＭＡ制御チャネル上で、第１の制御情報を受信するための命令と、前記割り当てられたフレームインターレースのうちの第２のフレームにおいて、ＯＦＤＭＡ制御チャネル上で、第２の制御情報を受信するための命令とを含む、請求項２７記載のコンピュータ読取可能媒体。
【請求項３０】
ワイヤレス通信システム中で制御チャネルを割り当てるためのコンピュータ実行可能命令を実行するプロセッサにおいて、
前記命令は、
複数のフレームインターレースにおける負荷と、移動体端末に対する電力要求とのうちの１つ以上に少なくとも部分的に基づき、前記複数のフレームインターレースから選択された１つ以上のフレームインターレースにおいて、前記移動体端末との通信用の１つ以上の制御チャネルをスケジュールすることと、
前記１つ以上のスケジュールされた制御チャネル上で、前記移動体端末からシグナリングを受信することと
を含むプロセッサ。
【請求項３１】
前記複数のフレームインターレースにおける負荷は、前記複数のフレームインターレースにおけるデータチャネル負荷と、前記複数のフレームインターレースにおける制御チャネル負荷とのうちの少なくとも１つを含む、請求項３０記載のプロセッサ。
【請求項３２】
ワイヤレス通信システム中で制御情報を通信する方法において、
複数のフレームインターレースから選択された１つ以上のフレームインターレースにおける、基地局との通信用の１つ以上の制御チャネルに対する割り当てを受信することと、
少なくとも１つの割り当てられた制御チャネルを使用して、前記基地局に対してシグナリングを送ることと
を含み、
前記割り当ては、前記複数のフレームインターレースにおける負荷と、最大送信電力制限とのうちの１つ以上に少なくとも部分的に基づいている方法。
【請求項３３】
前記１つ以上の制御チャネルに対する割り当てを受信することは、ＣＤＭＡ制御チャネルに対する割り当てを受信することを含む、請求項３２記載の方法。
【請求項３４】
前記ＣＤＭＡ制御チャネルはＣＤＭＡ制御セグメントに対応し、前記ＣＤＭＡ制御チャネルに対する割り当てを受信することは、前記ＣＤＭＡ制御セグメントのサブセグメントに対する割り当てを受信することを含む、請求項３３記載の方法。
【請求項３５】
前記１つ以上の制御チャネルに対する割り当てを受信することは、ＯＦＤＭＡ制御チャネルに対する割り当てを受信することを含む、請求項３２記載の方法。
【請求項３６】
前記ＯＦＤＭＡ制御チャネルはＯＦＤＭＡ制御セグメントに対応し、前記ＯＦＤＭＡ制御チャネルに対する割り当てを受信することは、前記ＯＦＤＭＡ制御チャネルの割り振られた部分を受信することを含む、請求項３５記載の方法。
【請求項３７】
前記１つ以上の制御チャネルに対する割り当てを受信することは、ＣＤＭＡ制御チャネルおよびＯＦＤＭＡ制御チャネルに対する割り当てを受信することを含む、請求項３２記載の方法。
【請求項３８】
前記１つ以上の制御チャネルに対する割り当てを受信することは、
前記１つ以上のフレームインターレース中の第１の組のフレームにおける、ＣＤＭＡ制御チャネルに対する割り当てを受信することと、
前記１つ以上のフレームインターレース中の第２の組のフレームにおける、ＯＦＤＭＡ制御チャネルに対する割り当てを受信することと
を含み、
前記第１の組のフレームおよび前記第２の組のフレームは、何らかの共通のフレームを共有していない、請求項３７記載の方法。
【請求項３９】
前記１つ以上の制御チャネルをスケジュールすることは、肯定応答チャネルをスケジュールすることを含む、請求項３２記載の方法。
【請求項４０】
前記１つ以上の制御チャネルに対する割り当てを受信することは、前記基地局との通信用の１つ以上の制御チャネルに対する変更された割り当てを受信することを含み、
前記変更された割り当ては、前記複数のフレームインターレースにおける負荷と、移動体端末に対する電力要求と、のうちの１つ以上における変化に少なくとも部分的に基づいている、請求項３２記載の方法。
【請求項４１】
ワイヤレス通信装置において、
１つ以上のフレームインターレースにおける、アクセスポイントとの通信用の少なくとも１つの制御チャネルに対する割り当てに関連するデータを記憶するメモリと、
割り当てられた制御チャネル上で、前記アクセスポイントに対して制御情報を送るように構成されているプロセッサと
を具備し、
前記割り当ては、前記１つ以上のフレームインターレースに対する負荷状況と、送信電力状況とのうちの少なくとも１つに基づいているワイヤレス通信装置。
【請求項４２】
前記メモリは、識別コードに関連するデータをさらに記憶し、前記プロセッサは、前記識別コードと、前記アクセスポイントとの通信用に使用されるデータチャネルに対する識別子とのうちの少なくとも１つに基づき、前記１つ以上のフレームインターレースにおける、前記アクセスポイントとの通信用の制御チャネルに対する割り当てを受信するようにさらに構成されている、請求項４１記載のワイヤレス通信装置。
【請求項４３】
前記識別コードは、媒体アクセス制御識別子（ＭＡＣ−ＩＤ）である、請求項４２記載のワイヤレス通信装置。
【請求項４４】
ワイヤレス通信システム中で制御情報の通信を容易にする装置において、
１つ以上のフレームインターレースにおける、通信用のスケジュールされた制御チャネルを含む通信を受信する手段と、
前記スケジュールされた制御チャネル上で、フィードバックを送る手段と
を具備し、
前記制御チャネルは、前記１つ以上のフレームインターレースを含むフレームインターレースのグループにおける負荷をバランスさせ、かつ、要求される送信電力を最小化させるようにスケジュールされる装置。
【請求項４５】
ワイヤレス通信システム中でシグナリングを通信するためのコンピュータ実行可能命令を記憶しているコンピュータ読取可能媒体において、
前記命令は、
１つ以上の制御チャネルに対する割り当てを受信することと、
前記１つ以上の制御チャネル上で、制御情報を送信することと
を含み、
前記１つ以上の制御チャネルは、１つ以上のフレームインターレースにおける制御チャネル負荷と、前記１つ以上のフレームインターレースにおけるデータチャネル負荷と、ワイヤレス通信システム中の１つ以上のエンティティに対する最大送信電力とのうちの１つ以上に基づき、前記１つ以上のフレームインターレースにおいて、通信用にスケジュールされるコンピュータ読取可能媒体。
【請求項４６】
ワイヤレス通信システム中で制御フィードバックを通信するためのコンピュータ実行可能命令を実行するプロセッサにおいて、
前記命令は、
データを受信することと、
１つ以上の割り当てられた制御チャネルのうちの少なくとも１つを使用して、基地局に対して制御情報を送信することと
を含み、
前記データは、前記１つ以上のフレームインターレースにおける、前記基地局との通信用の１つ以上の制御チャネルに対する暗黙的な割り当てを含み、
前記割り当ては、前記１つ以上のフレームインターレースにおける負荷と、ワイヤレス通信システム中の１つ以上のエンティティに対する最大送信電力制限とのうちの１つ以上に少なくとも部分的に基づいているプロセッサ。
【発明の詳細な説明】
【関連出願】
【０００１】
本出願は、２００６年５月１８日に出願され、“ワイヤレス通信ネットワーク中の制御チャネル割り当て”と題された、米国仮出願シリアル番号第60/801,797号に対して優先権を主張し、この全体は、ここで参照により組み込まれている。
【技術分野】
【０００２】
本開示は、一般的にワイヤレス通信に関連し、さらに詳細には、ワイヤレス通信システム中で、リソースを割り当てるための技術に関連する。
【背景技術】
【０００３】
ワイヤレス通信システムは、さまざまな通信サービスを提供するために広く配備されており、このようなワイヤレス通信システムを介して、例えば、音声と、ビデオと、パケットデータと、ブロードキャストと、メッセージングサービスとが提供されてもよい。これらのシステムは、利用可能なシステムリソースを共有することによって、複数の端末に対する通信をサポートすることができる、多元接続システムであってもよい。このような多元接続システムの例は、コード分割多元接続（ＣＤＭＡ）システムと、時分割多元接続（ＴＤＭＡ）システムと、周波数分割多元アクセス（ＦＤＭＡ）システムと、直交周波数分割多元接続（ＯＦＤＭＡ）システムとを含む。
【０００４】
このような多元接続システムでは、従来、基地局が、フォワードリンク（“ダウンリンク”）上で、１つ以上のユーザ端末と通信し、端末が、リバースリンク（“アップリンク”）上で、対応している基地局との応答通信に携る。基地局と端末との間のこの通信は、例えば、１つ以上のデータチャネル上のデータの通信と、１つ以上の制御チャネル上のシグナリングの通信とを含むことができる。従来では、制御チャネルを通して通信されるシグナリングを使用して、通信システムの正確で効率的な動作を確実にしている。例えば、端末によって、リバースリンク制御チャネルを使用して、チャネル品質インジケータ（ＣＱＩ）と、要求（ＲＥＱ）と、肯定応答／否定応答（ＡＣＫ／ＮＡＣＫ）と、基地局に対する他のフィードバックとを通信することができる。しかしながら、従来では、特に、各基地局と通信している多数の端末を有する通信システム中では、各基地局と通信している端末に対して割り当てられ、端末によって使用されるリバースリンク制御チャネルのスケジューリングを、効率的にバランスさせることが難しかった。リバースリンク制御チャネルを使用して、通信システムの効率的な動作を確実にしているので、システムの最適化された性能のために、制御チャネルのバランスされた割り当てとスケジューリングとが必要である。したがって、ワイヤレス通信システム中の効率的な制御チャネル割り当てに対する、技術的に満たされていない要望が存在する。
【発明の概要】
【０００５】
以下では、このような実施形態の基本的な理解をもたらすために、開示する実施形態を簡潔にした要約を提示する。この要約は、すべての企図されている実施形態の拡張的な概要ではなく、キーとなる、または、重要な構成要素を識別すること、あるいは、このような実施形態の範囲を線引きすることをいずれも意図していない。この唯一の目的は、後で提示する、より詳細な説明に対する前置きとして、簡潔な形態で開示された実施形態のいくつかの概念を提示することである。
【０００６】
説明する実施形態は、ワイヤレス通信システム中で、リバースリンクにおけるインターレースベースの制御チャネルバランシングを提供することによって、前述した問題を軽減させる。より詳細には、１つ以上の実施形態は、リバースリンク送信タイムライン中の一連の物理層フレームを、複数のフレームインターレースに分割することができ、それぞれのフレームインターレース中に、１つ以上のリバースリンク制御チャネルを提供できる。各フレームインターレースの１つ以上の状況に基づいて、フレームインターレース中のリバースリンク制御チャネルに対して、基地局と通信している、システム中のそれぞれの端末を割り当てることができる。これらの状況は、フレームインターレースの間のオーバーヘッドバランスと、基地局におけるフレームインターレースに対する処理タイムライン最適化と、断続的な送信（ＤＴＸ）の望ましさとを含んでもよい。
【０００７】
１つの観点にしたがって、ワイヤレス通信システム中で制御チャネルをスケジュールする方法をここで説明する。方法は、１つ以上のフレームインターレースに対する制御チャネル負荷とデータチャネル負荷とのうちの１つ以上を決定することを含み、各フレームインターレースは、フォワードリンクおよびリバースリンク上に複数のフレームを有する。また、方法は、ワイヤレス通信システム中の１つ以上の移動体端末に対する電力制限を決定することを含んでもよい。さらに、方法は、移動体端末に対する決定された電力制限と、フレームインターレースに対する決定されたデータチャネル負荷およびフレームインターレースに対する決定された制御チャネル負荷のうちの１つ以上と、に少なくとも部分的に基づき、少なくとも１つのフレームインターレースにおいて、１つ以上の移動体端末中の１つの移動体端末との通信用の１つ以上の制御チャネルをスケジュールすることを含んでもよい。
【０００８】
別の観点は、１つ以上のフレームインターレースに関連するデータを記憶するメモリを具備してもよいワイヤレス通信装置に関連し、各フレームインターレースは、フォワードリンクおよびリバースリンク上に複数のフレームを有する。ワイヤレス通信装置は、１つ以上のフレームインターレースに対する負荷状況と、１つ以上のアクセス端末からの１つのアクセス端末に対する電力状況とのうちの少なくとも１つを決定し、決定された負荷状況と、決定された電力状況とのうちの少なくとも１つに基づき、１つ以上のフレームインターレースのうちの少なくとも１つのフレームインターレースにおいて、制御チャネルをスケジュールするように構成されているプロセッサをさらに具備してもよい。
【０００９】
さらに別の観点は、ワイヤレス通信システム中で制御チャネルのスケジューリングを容易にする装置に関連する。装置は、リバースリンク上のフレームを１つ以上のフレームインターレースにグループ化する手段を具備してもよい。さらに、装置は、１つ以上のフレームインターレースにおける負荷と、ワイヤレス端末に対する電力制限とを決定する手段を具備してもよい。また、装置は、１つ以上のフレームインターレースにおける決定された負荷と、ワイヤレス端末に対する決定された電力制限とのうちの少なくとも１つに基づき、１つ以上のフレームインターレースのうちの少なくとも１つにおいて、ワイヤレス端末との通信用の１つ以上の制御チャネルをスケジュールする手段を具備してもよい。
【００１０】
また別の観点は、ワイヤレス通信システム中で制御チャネルをスケジュールするためのコンピュータ実行可能命令を記憶しているコンピュータ読取可能媒体に関連する。命令は、１つ以上のフレームインターレースにおける負荷を決定することを含んでもよい。命令は、また、端末に対する電力状況を決定することを含んでもよい。さらに、命令は、決定された負荷および電力状況に少なくとも部分的に基づき、少なくとも１つのフレームインターレースのうちの１つ以上のフレームにおいて、端末との通信用の１つ以上の制御チャネルを割り当てることを含んでもよい。さらに、命令は、１つ以上の割り当てられた制御チャネル上で、端末から制御情報を受信することを含んでもよい。
【００１１】
別の観点にしたがって、ワイヤレス通信システム中で制御チャネルを割り当てるためのコンピュータ実行可能命令を実行してもよいプロセッサをここで説明する。命令は、複数のフレームインターレースにおける負荷と、移動体端末に対する電力要求とのうちの１つ以上に少なくとも部分的に基づき、複数のフレームインターレースから選択された１つ以上のフレームインターレースにおいて、移動体端末との通信用の１つ以上の制御チャネルをスケジュールすることを含んでもよい。また、命令は、１つ以上のスケジュールされた制御チャネル上で、移動体端末からシグナリングを受信することを含んでもよい。
【００１２】
さらに別の観点にしたがって、ワイヤレス通信システム中で制御情報を通信する方法をここで説明する。方法は、複数のフレームインターレースから選択された１つ以上のフレームインターレースにおける、基地局との通信用の１つ以上の制御チャネルに対する割り当てを受信することを含んでもよく、割り当ては、複数のフレームインターレースにおける負荷と、最大送信電力制限とのうちの１つ以上に少なくとも部分的に基づいている。さらに、方法は、少なくとも１つの割り当てられた制御チャネルを使用して、基地局に対してシグナリングを送ることを含んでもよい。
【００１３】
別の観点は、１つ以上のフレームインターレースにおける、アクセスポイントとの通信用の少なくとも１つの制御チャネルに対する割り当てに関連するデータを記憶するメモリを具備してもよいワイヤレス通信装置に関連し、割り当ては、１つ以上のフレームインターレースに対する負荷状況と、送信電力状況とのうちの少なくとも１つに基づいている。ワイヤレス通信装置は、さらに、割り当てられた制御チャネル上で、アクセスポイントに対して制御情報を送るように構成されているプロセッサを具備してもよい。
【００１４】
さらに別の観点は、ワイヤレス通信システム中で制御情報の通信を容易にする装置に関連する。装置は、１つ以上のフレームインターレースにおける、通信用のスケジュールされた制御チャネルを含む通信を受信する手段を具備してもよく、制御チャネルは、１つ以上のフレームインターレースを含むフレームインターレースのグループにおける負荷をバランスさせ、かつ、要求される送信電力を最小化させるようにスケジュールされる。装置は、スケジュールされた制御チャネル上で、フィードバックを送る手段をさらに具備してもよい。
【００１５】
また別の観点は、ワイヤレス通信システム中でシグナリングを通信するためのコンピュータ実行可能命令を記憶しているコンピュータ読取可能媒体に関連する。命令は、１つ以上の制御チャネルに対する割り当てを受信することを含んでもよく、１つ以上の制御チャネルは、１つ以上のフレームインターレースにおける制御チャネル負荷と、１つ以上のフレームインターレースにおけるデータチャネル負荷と、ワイヤレス通信システム中の１つ以上のエンティティに対する最大送信電力とのうちの１つ以上に基づき、１つ以上のフレームインターレースにおいて、通信用にスケジュールされる。さらに、命令は、１つ以上の制御チャネル上で、制御情報を送信することを含んでもよい。
【００１６】
別の観点にしたがって、ワイヤレス通信システム中で制御フィードバックを通信するためのコンピュータ実行可能命令を実行するプロセッサをここで説明する。命令は、データを受信することを含んでもよく、データは、１つ以上のフレームインターレースにおける、基地局との通信用の１つ以上の制御チャネルに対する暗黙的な割り当てを含み、割り当ては、１つ以上のフレームインターレースにおける負荷と、ワイヤレス通信システム中の１つ以上のエンティティに対する最大送信電力制限とのうちの１つ以上に少なくとも部分的に基づいている。さらに、命令は、１つ以上の割り当てられた制御チャネルのうちの少なくとも１つを使用して、基地局に対して制御情報を送信することを含んでもよい。
【００１７】
これまでの、そして、関連する目的を達成するために、１つ以上の実施形態は、以下で完全に説明する、特に特許請求の範囲において示す特徴を含む。以下の説明と添付の図面とは、開示する実施形態のある図示的な観点を詳細に述べる。しかしながら、これらの観点は、さまざまな方法のうちのいくつかのものだけを示しており、ここで、さまざまな実施形態の原則が用いられてもよい。さらに、開示された実施形態は、このような観点とこれらの均等物のすべてを含むことを意図している。
【図面の簡単な説明】
【００１８】
【図１】図１は、ここで述べたさまざまな観点にしたがった、ワイヤレス多元接続通信システムを図示する。
【図２】図２は、ここで説明したさまざまな観点にしたがって、ワイヤレス通信ネットワーク中で、インターレースベースの制御チャネルバランシングを提供するシステムのブロック図である。
【図３】図３は、さまざまな観点にしたがった、ワイヤレス通信ネットワーク中の例示的な制御チャネル割り当てを図示する。
【図４】図４は、さまざまな観点にしたがった、ワイヤレス通信ネットワーク中の例示的な制御チャネル割り当てを図示する。
【図５】図５は、ワイヤレス通信システム中の、インターレースベースの制御チャネルバランシングのための方法のフロー図である。
【図６】図６は、ワイヤレス通信システム中で、制御チャネルをスケジュールする方法のフロー図である。
【図７】図７は、ワイヤレス通信システム中の、スケジュールされた制御チャネル上で、シグナリングを通信する方法のフロー図である。
【図８】図８は、ここで説明する１つ以上の実施形態がその中で機能してもよい例示的なワイヤレス通信システムを図示するブロック図である。
【図９】図９は、さまざまな観点にしたがって、ワイヤレス通信環境において、１つ以上のワイヤレス端末の間で制御チャネルのスケジューリングを調整するシステムのブロック図である。
【図１０】図１０は、さまざまな観点にしたがって、通信スケジュールに基づいて、ワイヤレス通信環境中のシグナリングの通信を調整するシステムのブロック図である。
【図１１】図１１は、さまざまな観点にしたがって、ワイヤレス通信システム中の、インターレースベースの制御チャネルバランシングを容易にするシステムのブロック図である。
【図１２】図１２は、さまざまな観点にしたがって、ワイヤレス通信システム中で、制御チャネルをスケジュールする装置のブロック図である。
【図１３】図１３は、さまざまな観点にしたがって、ワイヤレス通信システム中の、スケジュールされた制御チャネル上で、シグナリングを通信する装置のブロック図である。
【発明を実施するための形態】
【００１９】
ここで、同じ参照番号が全体にわたって同じ構成要素を指すのに使用されている、図面に対する参照とともに、さまざまな実施形態をここで説明する。以下の説明では、説明の目的で、１つ以上の観点の完全な理解をもたらすために、数々の特定の詳細を述べる。しかしながら、これらの特定の詳細なしで、このような実施形態を実施してもよいことが明らかであるかもしれない。他のインスタンスでは、１つ以上の実施形態の説明を容易にするために、よく知られた構造とデバイスを、ブロック図の形態で示した。
【００２０】
この出願において使用するように、用語“コンポーネント”と、“モジュール”と、“システム”と、これらに類する物とは、コンピュータ関連のエンティティ、すなわち、ハードウェアや、ファームウェアや、ハードウェアとソフトウェアの組み合わせや、ソフトウェアや、または、実行中のソフトウェアのいずれかを指すことが意図されている。例えば、コンポーネントは、これらに制限されないが、プロセッサ上で実行されているプロセス、プロセッサ、オブジェクト、実行ファイル（executable）、実行スレッド、プログラム、および／または、コンピュータであってもよい。説明のために、コンピューティングデバイス上で実行されているアプリケーションと、コンピューティングデバイスとの両方が、コンポーネントであってもよい。１つ以上のコンポーネントは、プロセスおよび／または実行スレッド内に常駐することができ、コンポーネントは、１つのコンピュータ上に配置されていてもよく、および／または、２つ以上のコンピュータの間で分散されていてもよい。さらに、これらのコンポーネントは、そこに記憶されたさまざまなデータ構造を持っているさまざまなコンピュータ読取可能媒体から実行することができる。１つ以上のデータパケット（例えば、ローカルシステムにおける、分散システムにおける、別のコンポーネントと、および／または、インターネットのようなネットワークを介して他のシステムと、信号により対話している１つのコンポーネントからのデータ）を持っている信号にしたがうような、ローカルおよび／またはリモートのプロセスを介して、コンポーネントが通信してもよい。
【００２１】
さらに、ワイヤレス端末および／または基地局に関連して、ここで、さまざまな実施形態を説明する。ワイヤレス端末は、ユーザに対して、音声および／またはデータ接続能力を提供するデバイスを指してもよい。ワイヤレス端末は、ラップトップコンピュータまたはデスクトップコンピュータのようなコンピューティングデバイスに接続されていてもよく、あるいは、ワイヤレス端末は、パーソナルデジタルアシスタント（ＰＤＡ）のような自己完結したデバイスであってもよい。ワイヤレス端末はまた、システムや、加入者ユニットや、加入者局や、移動局や、移動体や、遠隔局や、アクセスポイントや、遠隔端末や、アクセス端末や、ユーザ端末や、ユーザエージェントや、ユーザデバイスや、または、ユーザ装置と呼ばれてもよい。ワイヤレス端末は、加入者局や、ワイヤレスデバイスや、セルラ電話機や、ＰＣＳ電話機や、コードレス電話機や、セッション開始プロトコル（ＳＩＰ）電話機や、ワイヤレスローカルループ（ＷＬＬ）局や、パーソナルデジタルアシスタント（ＰＤＡ）や、ワイヤレス接続能力を有するハンドヘルドデバイスや、または、ワイヤレスモデムに接続された、他の処理デバイスであってもよい。基地局（例えば、アクセスポイント）は、無線インターフェース上で、１つ以上のセクタを通してワイヤレス端末と通信するアクセスネットワーク中のデバイスを指してもよい。基地局は、受信無線インターフェースフレームをＩＰパケットに変換することによって、インターネットプロトコル（ＩＰ）ネットワークを含んでもよいアクセスネットワークの残りのものと、ワイヤレス端末との間のルーターとして働いてもよい。基地局はまた、無線インターフェースのための属性の管理も調整する。
【００２２】
さらに、ここで説明するさまざまな観点または特徴は、標準のプログラミングおよび／またはエンジニアリング技術を使用して、方法、装置、または製品として実現されてもよい。ここで使用するような、用語“製品”は、任意のコンピュータ読取可能デバイスや、キャリアや、または、媒体からアクセス可能なコンピュータプログラムを包含することを意図している。例えば、コンピュータ読取可能媒体は、これらに制限されないが、磁気記憶デバイス（例えば、ハードディスク、フロッピー（登録商標）ディスク、磁気ストライプ等）と、光学ディスク（例えば、コンパクトディスク（ＣＤ）、デジタル汎用ディスク（ＤＶＤ）等）と、スマートカードと、フラッシュメモリデバイス（例えば、カード、スティック、キードライブ等）とを含んでもよい。
【００２３】
多数のデバイスと、コンポーネントと、モジュールと、これらに類する物とを含んでもよいシステムに関して、さまざまな実施形態を提示するだろう。さまざまなシステムは、さらなるデバイス、コンポーネント、モジュール等を含んでもよく、および／または、図に関連して説明した、デバイス、コンポーネント、モジュール等のすべてのものを含まなくてもよいことを理解すべきであり、認識すべきである。また、これらのアプローチの組み合わせを使用してもよい。
【００２４】
ここで、図面を参照すると、図１は、さまざまな観点にしたがった、ワイヤレス多元接続通信システム１００の図である。１つの例では、ワイヤレス多元接続通信システム１００は、複数の基地局１１０と複数の端末１２０を含む。さらに、１つ以上の基地局１１０は、１つ以上の端末１２０と通信することができる。制限的でない例として、基地局１１０は、アクセスポイント、ノードＢ、および／または、別の適切なネットワークエンティティであってもよい。各基地局１１０は、特定の地理的エリア１０２に対して通信カバレッジを提供する。ここで使用するように、および、技術的に一般的に使用されるように、用語“セル”は、その用語が使用されている文脈に依拠して、基地局１１０、および／または、そのカバレッジエリア１０２を指すことができる。
【００２５】
システム容量を改善するために、基地局１１０に対応しているカバレッジエリア１０２は、複数のより小さいエリア（例えば、エリア１０４ａと、１０４ｂと、１０４ｃと）に区分されてもよい。より小さいエリア１０４ａと、１０４ｂと、１０４ｃとのそれぞれは、それぞれのベーストランシーバサブシステム（示していないＢＴＳ）によって担当されてもよい。ここで使用するように、および、技術的に一般的に使用されるように、用語“セクタ”は、その用語が使用されている文脈に依拠して、ＢＴＳおよび／またはそのカバレッジエリアを指すことができる。複数のセクタ１０４を有するセル１０２において、セル１０２のすべてのセクタ１０４に対するＢＴＳを、セル１０２に対する基地局１１０内に共通して配置することができる。しかしながら、ここで開示するさまざまな観点を、セクタ化されたおよび／またはセクタ化されていないセルを有するシステム中で使用してもよいことを理解すべきである。さらに、任意の数のセクタ化されたおよび／またはセクタ化されていないセルを有する、すべての適切なワイヤレス通信ネットワークが、添付の特許請求の範囲の範囲内に含まれることを意図している。簡潔さのために、ここで使用するように、用語“基地局”は、セクタを担当する局と、セルを担当する局との両方を指すかもしれない。
【００２６】
１つの観点にしたがうと、端末１２０は、システム１００全体にわたって分散していてもよい。各端末１２０は、据え置き型、または移動体であってもよい。制限的でない例として、端末１２０は、アクセス端末（ＡＴ）、移動局、ユーザ装置、加入者局、および／または別の適切なネットワークエンティティであってもよい。端末１２０は、ワイヤレスデバイスや、セルラ電話機や、パーソナルデジタルアシスタント（ＰＤＡ）や、ワイヤレスモデムや、ハンドヘルドデバイスや、または、別の適切なデバイスであってもよい。さらに、端末１２０は、任意の所定の瞬間において、任意の数の基地局１１０と通信していてもよく、何れの基地局１１０とも通信していなくてもよい。
【００２７】
別の例では、１つ以上の基地局１１０に結合することができ、基地局１１０に対して調整と制御を提供できるシステム制御装置１３０を用いることによって、システム１００は、集中型アーキテクチャを利用することができる。代替の観点にしたがうと、システム制御装置１３０は、単一のネットワークエンティティ、または、ネットワークエンティティの集合体であってもよい。さらに、システム１００は、分散アーキテクチャを利用して、必要なように基地局１１０が互いに通信できるようにしてもよい。
【００２８】
別の観点にしたがうと、システム１００中の基地局１１０および端末１２０は、１つ以上のチャネルを使用することによって、フォワードリンクおよびリバースリンク上で互いに通信してもよい。１つの制限的でない例において、システム１００は、周波数ホッピングＯＦＤＭＡ（ＦＨ−ＯＦＤＭＡ）を利用してもよく、周波数ホッピングＯＦＤＭＡ（ＦＨ−ＯＦＤＭＡ）では、Ｎ個の変調シンボル毎に１回、一緒にホップする、Ｍ個の副搬送波またはトーンのグループによって、チャネルが規定されてもよい。したがって、１つの例では、時間−周波数平面中のブロックは、変調シンボルの矩形Ｎ×Ｍグリッドに対応していてもよい。したがって、チャネルは、このようなブロックのうちの１つ以上によって規定することができ、これは周期性Ｎのホップ順列によって、物理的な副搬送波に割り当てられてもよい。さらに、周波数ホッピングの間、各チャネルが実質上一定のままであるように、使用される副搬送波および変調シンボルの数を選ぶことができ、これによって、ブロック中に挿入されたパイロットシンボルに基づいて、各チャネルを推定できるようにしている。制限的でない例として、８個の変調シンボルに対して、８個の副搬送波によってブロックが規定されてもよい。別の制限的でない例において、１６個の変調シンボルに対して、８個の副搬送波によってブロックが規定されてもよい。別の制限的でない例において、システム１００は、ＣＤＭＡを利用してもよく、ＣＤＭＡでは、予め定められた数の変調シンボルに対して、予め定められた数の副搬送波のブロックで、チャネルを構成してもよい。しかしながら、ＦＨ−ＯＦＤＭＡとは異なって、ＣＤＭＡは、複数の移動体端末１２０が単一のＣＤＭＡチャネルを使用して基地局１１０と通信できるように、複数の移動体端末１２０の多重化を可能にする。
【００２９】
別の観点にしたがうと、システム１００中の基地局１１０と移動体端末１２０は、データチャネルを使用してデータを通信することができ、制御チャネルを使用してシグナリングを通信することができる。１つの例では、制御チャネルはデータチャネルと同じ構造を持っていてもよい。しかしながら、ＣＤＭＡを利用するシステム１００の制限的でない例におけるもののように、単一の制御チャネルが、複数の移動体端末１１０に対する制御送信を取り扱うことが可能であってもよい。したがって、複数の移動体端末１１０の間で、制御チャネルを共有してもよい。１つの例では、制御チャネル中のそれぞれの変調シンボルは、Ｐ−ａｒｙウォルシュコードオーバーレイまたは指数コードオーバーレイで、Ｐ回反復させることができ、これによって、Ｐ個の移動体端末１１０が、単一の制御チャネルを共有できるようにしている。この例では、各移動体端末１１０は、（Ｍ＊Ｎ）／Ｐの変調シンボルを、それぞれＰ−ａｒｙの反復で送ってもよい。したがって、各移動体端末１１０に対する特有のウォルシュコードによって、移動体端末１１０を区別することができる。１つの例において、各移動体端末１１０は、１つ以上の制御情報ビットに対するシンボルマッピング機能を利用することによって、変調シンボルを発生させることができる。さらに、ウォルシュ反復されたシンボルを、時間および周波数において、互いにきわめて接近させて配置して、類似した伝搬チャネルをシンボルが見つけられるようにしてもよく、これによって、１つ以上の移動体端末１１０が直交のままでいることを可能にしている。
【００３０】
図２は、ここで説明するさまざまな観点にしたがって、ワイヤレス通信ネットワーク中で、インターレースベースの制御チャネルバランシングを提供するシステム２００のブロック図である。１つの例では、システム２００は、１つ以上の基地局２１０と、１つ以上の移動体端末２２０とを含む。簡潔さのために、図２では、１つの基地局２１０と、１つの移動体端末２２０とだけを図示したが、システム２００は、任意の数の基地局２１０と、移動体端末２２０とを含んでもよいことを理解すべきである。１つの観点にしたがうと、基地局２１０と、移動体端末２２０とは、基地局２１０におけるアンテナ２１８と、移動体端末２２０におけるアンテナ２２２とを介して通信できる。代わりに、基地局２１０および／または移動体端末２２０は、システム２００中の、複数の基地局２１０および／または移動体端末２２０と通信するための、複数のアンテナ２１８および／またはアンテナ２２２を持っていてもよい。さらに、基地局２１０と移動体端末２２０は、ＣＤＭＡ、ＯＦＤＭＡ、および／または、他の適切な通信技術のうちの１つ以上を使用することによって通信してもよい。
【００３１】
１つの例において、基地局２１０と移動体端末２２０は、フォワードリンクおよびリバースリンク上で、データとシグナリングを互いに通信することができる。基地局２１０と移動体端末２２０との間で通信されるデータは、例えば、音声データ、ビデオ信号、パケットデータ、ショートメッセージサービス（ＳＭＳ）プロトコルを使用して送信されるもののようなメッセージ、および／または、他の適切なデータの形態を含んでもよい。さらに、シグナリングは、肯定応答（ＡＣＫ）、否定応答（ＮＡＣＫ）、要求（ＲＥＱ）、チャネル品質情報（ＣＱＩ）、電力制御情報、および／または、他の適切なタイプの制御情報とフィードバックを含んでもよい。さらに、１つ以上のフォワードリンクおよびリバースリンクデータチャネルを介して、データを通信してもよく、１つ以上のフォワードリンクおよびリバースリンク制御チャネルを介して、シグナリングを通信してもよい。
【００３２】
リバースリンク上で、システム２００中の多くの移動体端末２２０は、対応する制御チャネルを通して同時に、単一の基地局２１０に対してシグナリングを送信してもよい。しかしながら、システム２００の最適な性能を確実にするために、対応する制御チャネルを介する、それぞれの移動体端末２２０からの、基地局２１０において受信されるシグナリングは、幅広いスケジューリングを要求するかもしれない。例えば、比較的多数の移動体端末２２０が、ある１つの時点において、基地局２１０に対してシグナリングを送る場合、シグナリングの正確な処理のために、基地局２１０において要求される、バッファリングと他の追加的な動作とによって、システム２００の全体の性能が減少するかもしれない。他方、端末のバッテリ寿命を節約するために、断続的な送信（ＤＴＸ）が所望される例においてのように、ある単一の時点において、基地局２１０に対してシグナリングを送ることが、比較的多数の移動体端末にとって、都合がよいこともある。
【００３３】
したがって、１つの観点にしたがうと、基地局２１０は、この基地局２１０と通信しているそれぞれの移動体端末２２０に対して、１つ以上のリバースリンク制御チャネルをスケジュールするスケジューリングコンポーネント２１４を含む。１つの例においては、フォワードおよびリバースリンク上の１つ以上の物理層フレーム（“フレーム”）上で、基地局２１０と、移動体端末２２０との間でデータとシグナリングが通信される。フォワードおよびリバースリンク上の、複数のばらばらなフレームを、フレームインターレースにグループ化することによって、これらのフレームをインターレース化することができる。基地局２１０と、各移動体端末２２０との間の通信用の、データおよび制御チャネルを、次に、インターレースのフレームのすべてまたは部分に対してスケジュールすることができる。システム２００が任意の数のフレームインターレースを利用してもよいことと、均一な間隔（例えば、ｎ番目のフレーム毎）で、または、均一でない間隔で、フレームを一緒にグループ化することによって、フレームインターレースを生成してもよいこととを理解すべきである。
【００３４】
１つの例では、システム２００における基地局２１０は、移動体端末２２０から、アンテナ２１８を介して、フォワードリンク上で、受信機２１２において通信を受信する。代替の観点にしたがうと、移動体端末２２０によって送られる通信は、移動体端末２２０と、基地局２１０との間の通信リンクを確立するための最初の通信であってもよく、または、移動体端末２２０と、基地局２１０との間で予め確立された通信リンクにしたがって送られる通信であってもよい。一度、基地局２１０が移動体端末２１０から通信を受信すると、スケジューリングコンポーネント２１４は、システム２００中の１つ以上のフレームインターレースの状況を決定することができる。例えば、スケジューリングコンポーネント２１４は、それぞれのフレームインターレースにおいて、それぞれの制御チャネルの負荷を決定できる。決定された状況に基づいて、次に、スケジューリングコンポーネント２１４は、基地局２１０と、移動体端末２２０との間の通信用の１つ以上のリバースリンク制御チャネルを、フレームインターレース中のフレームに対して割り当てることができる。基地局２１０は、次に、送信機２１６とアンテナ２１８とを介して、移動体端末２２０に対して、この割り当てを通信することができる。この割り当ての通信の際に、移動体端末２２０は、アンテナ２２２と受信機２２４とを介して、この割り当てを受信できる。移動体端末２２０におけるシグナリング発生器２２６は、次に、要求や、肯定応答や、チャネル品質情報や、または、他の適切なシグナリングのような、シグナリングを発生させてもよく、これは、次に、基地局２１０によって割り当てられたフレームインターレース内の１つ以上のリバースリンクフレームにおいて、送信機２２８によって、アンテナ２２２を介して、リバースリンク上で基地局２１０に対して通信される。
【００３５】
さらなる観点にしたがうと、スケジューリングコンポーネント２１４は、移動体端末２２０と通信するための１つ以上のタイプの制御チャネルをスケジュールするように動作可能であってもよい。一般的な考察に基づいて、および／または、特定の制御チャネルタイプに特有の考察に基づいて、それぞれのタイプの制御チャネルをスケジュールしてもよい。制限的でない例として、スケジューリングコンポーネント２１４は、ＣＤＭＡ制御チャネル（ＣＤＣＣＨ）、ＯＦＤＭＡ制御チャネル（ＯＤＣＣＨ）、肯定応答チャネル（ＡＣＫＣＨ）、および／または、別の適切な制御チャネルのうちの１つ以上をスケジュールできる。
【００３６】
ＣＤＣＣＨのスケジューリングを含む、特定の、制限的でない例に関して、移動体端末２２０との通信用のそれぞれのＣＤＣＣＨが、システム２００によって利用されるＣＤＭＡ制御セグメント中に提供されてもよい。ＣＤＭＡ制御セグメントは、サブセグメントの集合へとさらに分けられてもよく、ＣＤＭＡ動作が可能である１つ以上の移動体端末２２０に対する制御チャネルを、それぞれのサブセグメントに対してマッピングしてもよい。１つの例において、各サブセグメントは予め定められた数の移動体端末２２０をサポートすることができてもよい。この例においては、基地局２１０におけるスケジューリングコンポーネント２１４は、１つ以上のインターレースのフレームに対して、マッピングされている制御チャネルをその上に有するＣＤＭＡ制御セグメントのサブセグメントをスケジュールすることによって、１つ以上の移動体端末２２０との通信用のＣＤＭＡ制御チャネルをスケジュールすることができる。
【００３７】
１つの例において、スケジューリングコンポーネント２１４は、ＣＤＭＡ制御セグメントに対応するオーバーヘッドがすべてのフレームインターレースの間でバランスされるように、サブセグメントをスケジュールできる。別の例では、スケジューリングコンポーネント２１４は、比較的多くの数のフレームインターレースにわたってサブセグメントをスケジュールして、基地局２１０における、移動体端末２２０からのシグナリングのパイプライン化された処理を容易にしてもよく、および、制御チャネル上で、基地局２１０によって要求されるバッファリングの量を減少させてもよい。さらに、または代わりに、スケジューリングコンポーネント２１４は、単一のフレームインターレースにおいて多数のサブセグメントを累積させて、移動体端末が断続的な送信（ＤＴＸ）に携ってもよい。ＤＴＸは、移動体端末２２０がデータまたはシグナリングを送信していないときに、移動体端末２２０がパワーダウンまたは“スリープ”状態で動作できるようにし、これによって、移動体端末２２０のバッテリ寿命を節約している。例えば、複数のＣＤＭＡサブセグメント上で基地局２１０に対してパイロットが通信されるセル間のハンドオフ動作または電力制御動作に、１つ以上の移動体端末２２０が携っているときに、スケジューリングコンポーネント２１４が、ＤＴＸのために、サブセグメントを累積させてもよい。このような動作において、ＣＤＭＡセグメントを累積させることは、その上で移動体端末２２０がシグナリングを送信しなければならないフレームの量を減少させることができ、これによって、移動体端末２２０が、送信していないときに、ＤＴＸにしたがって、パワーダウン状態に入ることを可能にしている。
【００３８】
ＯＤＣＣＨのスケジューリングを含む、別の特定の制限的でない例に関して、移動体端末２２０と通信するための各ＯＤＣＣＨが、システム２００によって利用されるＯＦＤＭＡ制御セグメント中に提供されてもよい。したがって、スケジューリングコンポーネント２１４は、上で述べたようなＣＤＭＡ制御チャネルをスケジュールするのに使用されるのと同じ考察のうちの多くのものに基づいて、ＯＦＤＭＡ制御チャネルをスケジュールしてもよい。しかしながら、ＣＤＭＡ制御セグメントとは違って、各移動体端末２２０は、ＯＦＤＭＡ制御セグメントの個々の部分中に制御チャネルが割り当てられる。さらに、ＦＨ−ＯＦＤＭＡシステム中で、ＯＤＣＣＨは、周波数間でホップすることができ、フレームインターレースにおいて提供されるデータチャネルにホップでき、これによって、移動体端末２２０が、チャネルを通して、データの代わりにシグナリングを通信するように、データチャネルをパンクチャする。したがって、スケジューリングコンポーネント２１４は、ＯＤＣＣＨをスケジュールするときに、個々の割り振りと、データチャネルパンクチャとを、さらに考察に入れることができる。
【００３９】
別の特定の、制限的でない例において、システム２００は、ＣＤＭＡとＯＦＤＭＡの両方を利用してもよい。したがって、システム２００中の１つ以上の基地局２１０と移動体端末２２０とが、ＣＤＭＡ制御セグメント中で提供されるＣＤＣＣＨと、ＯＦＤＭＡ制御セグメント中で提供されるＯＤＣＣＨとの両方を使用して、通信してもよい。しかしながら、移動体端末２２０は、複数のチャネルを通しての同時送信の結果として課されるかもしれない、最大送信電力および／または端末バッテリ寿命における制約によって、ＣＤＣＣＨとＯＤＣＣＨとの両方を通して送信することができないかもしれない。さらに、ＣＤＣＣＨとＯＤＣＣＨとを通して同時に送信することから生じる、移動体端末２２０によって送信される波形は、高い平均対ピーク比を持つかもしれず、このことはまた、要求される送信電力を増加させるかもしれず、端末バッテリ寿命を減少させるかもしれない。したがって、ある所定の時点において、ＣＤＣＣＨとＯＤＣＣＨとのうちの１つの上だけで送信するように各移動体端末２２０が要求されるように、スケジューリングコンポーネント２１４が、ＣＤＭＡ制御チャネルとＯＦＤＭＡ制御チャネルとをスケジュールしてもよい。
【００４０】
さらなる特定の、制限的でない例として、スケジューリングコンポーネント２１４は、１つ以上の移動体端末２２０に対して、ＡＣＫＣＨをスケジュールできる。１つの例では、システム２００によって利用される各ＡＣＫＣＨを、ＯＦＤＭＡを介して提供してもよい。しかしながら、ＯＤＣＣＨとは違って、ＡＣＫＣＨは、移動体端末２２０に対して明示的に割り当てられるというよりはむしろ、通信用に使用されるチャネルに対して割り当てられるかもしれない。したがって、スケジューリングコンポーネント２１４は、データチャネルおよび／または制御チャネルに対して、移動体端末２２０を割り当ててもよく、これによって、移動体端末２２０に対して、対応するＡＣＫＣＨを暗黙的にスケジュールしている。
【００４１】
図３は、さまざまな観点にしたがった、ワイヤレス通信ネットワーク（例えば、システム１００）中の、例示的な制御チャネル割り当て３００を図示したものである。１つの例では、データと制御情報は、インターレース化されたフレーム３１０においてワイヤレス通信ネットワーク内で通信される。１つの観点にしたがうと、ワイヤレス通信ネットワークは、ＦＨ−ＯＦＤＭＡや、ＣＤＭＡや、または、ネットワーク通信の別の適切なモードのうちの１つ以上を用いることができる。さらに、フレーム３１０は、複数のブロックを含んでいてもよく、１つ以上のフレームインターレースにグループ化されてもよい。例えば、図３によって図示したように、フレーム３１０1と、３１０3と、３１０5とは、第１のフレームインターレースＸにグループ化され、フレーム３１０2と、３１０4と、３１０6とは、第２のフレームインターレースＹにグループ化される。フレーム３１０1と３１０3、および、フレーム３１０3と３１０5の間のさらなるフレームが、フレームインターレースＸにグループ化されてもよいことと、フレーム３１０2と３１０4、および、フレーム３１０4と３１０6の間のさらなるフレームが、フレームインターレースＹにグループ化されてもよいこととを理解すべきである。さらに、ワイヤレス通信ネットワークによって、さらなるフレームインターレースを用いることができることを理解すべきである。さらに、制御チャネル割り当て３００に対して使用されるフレームインターレースは、周期的または非周期的であってもよく、連続的および／または不連続的なフレームを含んでいてもよく、そして、等しいまたは等しくない数のフレームを含んでいてもよい。例えば、１つのフレームインターレースが、一定または可変の数のスーパーフレームにまたがるように、フレームインターレースはまた、複数のスーパーフレームにまたがっていてもよい。
【００４２】
制御チャネル割り当て３００中で図示したように、（例えば、１つ以上の端末１２０との通信用の）制御チャネルが、インターレースの１つ以上のフレーム３１０中で提供されてもよい。さらに、各制御チャネルは、１つ以上のインターレース上でスケジュールされてもよい。制御チャネル割り当て３００によって図示した、制限的でない例において、第１の制御チャネルＣ1が、各インターレースＸおよびＹにおいて提供され、他方、第２の制御チャネルＣ2が、インターレースＹにおいてだけ提供される。制御チャネルＣ1およびＣ2を、フレーム３１０の継続期間よりも、時間的に短いものとして図示したが、代わりに、各制御チャネルの継続期間は、フレーム長と同じであってもよく、または、フレーム長よりも長くてもよいことを理解すべきである。例えば、スケジューリングの見地から、フレームインターレースＹにおいて、より大きい相対的負荷があることから、割り当て３００によって図示した方法で、制御チャネルをスケジュールしてもよい。代わりに、フレームインターレースＹにおいて、スケジュールされた端末に対する制御情報の量が、利用可能なネットワークリソースがサポートできるものよりも大きい場合、割り当て３００にしたがって、制御チャネルをスケジュールしてもよい。
【００４３】
１つの例において、フレーム３１０中の少なくとも１つのブロックにおける、第１の制御チャネル上と、フレーム３１０中の第２のブロックにおける、第２の制御チャネル上とで、制御情報を通信することができる。制御チャネル割り当て３００によって図示した、制限的でない例において、第１の組の制御情報（例えば、ＡＣＫ／ＮＡＣＫ）を、フレーム３１０1の制御チャネルＣ1上で通信することができ、第２の組の制御情報（例えば、ＲＥＱ／ＣＱＩ）をフレーム３１０2の制御チャネルＣ2上で通信することができる。第１の組および第２の組の制御情報は、例示の目的で提供したものであることと、任意の適切な方法で、制御チャネルの間で制御情報を分配できることを理解すべきである。さらに、その上で制御チャネルが使用されるブロックは、連続していてもよく、またはそうでなければ、分割されていてもよいことを理解すべきである。
【００４４】
別の例において、リバースリンク制御送信に対して使用されることになる端末（例えば、端末１２０）に対する、１つ以上の制御チャネルの割り当てを、１つ以上のフォワードリンク送信中で（例えば、基地局１１０によって）暗黙的に行って、ネットワークを通して送られなければならないメッセージの量を減少させてもよい。制限的でない例として、端末に対する割り当てられた媒体アクセス制御識別子（ＭＡＣ−ＩＤ）に基づいて、第１の制御チャネル（例えば、ＲＥＱ／ＣＱＩ）をスケジュールすることができ、端末に対する割り当てられたＭＡＣ−ＩＤ、および／または、肯定応答されることになるフォワードリンクチャネルのチャネル−ＩＤに基づいて、第２の制御チャネル（例えば、ＡＣＫ／ＮＡＣＫ）をスケジュールすることができる。さらに詳細には、リバースリンク制御チャネルに対応する、時間と、周波数と、コード割り当てとのうちの１つ以上のものが、端末に対する、割り当てられたＭＡＣ−ＩＤ、または、別の特有の識別コードに対応していてもよい。１つの例において、各端末に対する識別コードと、１つ以上の対応するリバースリンク制御チャネル割り当てとの間の関係付けを、１つ以上の基地局におけるデータベース中で維持することができる。端末に対する識別コードを知っていることにより、１つ以上のリバースリンク制御チャネルに対する、対応する割り当てられたブロックを、テーブルから見つけることができるように、このデータベースを、テーブルの形態で維持することもできる。
【００４５】
別の例において、データチャネルのチャネルＩＤのような、データチャネルについての情報、および／または、端末に対してフォワードリンクデータチャネル上で通信される情報が、端末に対して割り当てられた１つ以上のリバースリンク制御チャネルに対する、割り当てられたブロックに対応するかもしれない。例えば、フォワードリンク上で通信されるデータチャネル割り当てメッセージは、基地局におけるデータベース中で維持されているテーブル中のＡＣＫ／ＮＡＣＫのような、制御チャネルに対して割り当てられた特定のブロックに対応していてもよい。
【００４６】
図４は、さまざまな観点にしたがった、ワイヤレス通信ネットワーク中の例示的な制御チャネル割り当て４００の、別の例示である。図４によって図示したように、フレーム４１０1と、４１０3と、４１０5とは、第１のフレームインターレースＸにグループ化され、フレーム４１０2と、４１０4と、４１０6とは、第２のフレームインターレースＹにグループ化される。さらに、フレーム３１０1と３１０3、および、フレーム３１０3と３１０5の間のさらなるフレームが、フレームインターレースＸにグループ化されてもよいことと、フレーム３１０2と３１０4、および、フレーム３１０4と３１０6の間のさらなるフレームが、フレームインターレースＹにグループ化されてもよいこととを理解すべきである。さらに、制御チャネル割り当て４００に関連して、さらなるフレームインターレースを利用し得ることと、各インターレースは、周期的または非周期的であってもよく、連続的および／または不連続的なフレームを含んでいてもよく、そして、等しいまたは等しくない数のフレームを含んでいてもよいことを理解すべきである。
【００４７】
制御チャネル割り当て４００によって図示したように、第１の制御チャネルＣ1が、フレームインターレースＸ中の各フレーム４１０において提供され、他方、第２の制御チャネルＣ2が、フレームインターレースＹのすべてのフレームより少ないフレーム４１０において提供される。さらに、制御チャネル制御チャネルＣ1およびＣ2を、フレーム４１０の継続期間よりも、時間的に短いものとして図示したが、代わりに、各制御チャネルの継続期間は、フレーム長と同じであってもよく、または、フレーム長よりも長くてもよいことを理解すべきである。例えば、フレームインターレースＹにおける軽い負荷と、フレームインターレースＸにおけるより重い負荷とによって、割り当て４００によって図示した方法で、制御チャネルをスケジュールしてもよい。１つの例において、割り当て４００によって図示したように、動的に、フレームインターレース中のフレーム４１０の、すべてまたは部分に対して、制御チャネルを提供することができる。制御チャネルのこの動的な割り振りは、フレームインターレースの負荷、チャネル状況、および／または、他の適切な要因に基づいていてもよい。
【００４８】
図５−７を参照して、ワイヤレス通信ネットワーク中で、制御チャネルをスケジュールする方法を図示する。説明を簡潔にする目的で、方法を一連の動作として示し、説明するが、方法は、動作の順序によって限定されておらず、１つ以上の実施形態にしたがうと、ここで示し、説明したものとは異なる順序で発生する動作もあってもよく、および／または、他の動作と同時に発生する動作もあってもよいことを、理解し、認識すべきである。例えば、代わりに、状態図におけるように、一連の相関した状態またはイベントとして、方法を表してもよいことを、当業者は理解し、認識するだろう。さらに、１つ以上の実施形態にしたがうと、方法を実現するために、図示しているすべての動作が要求されないかもしれない。
【００４９】
図５を参照して、ワイヤレス通信システム（例えば、システム２００）中で、インターレースベースの制御チャネルのバランシングの方法５００を図示する。基地局（例えば、基地局２１０）と端末（例えば、移動体端末２２０）とのうちの１つ以上によって、方法５００を実行できることを理解すべきである。方法５００は、ブロック５０２において開始し、ここで、１つ以上のフレームインターレースに対応する状況を決定する。１つの観点にしたがうと、インターレース状況は、フレームインターレースにおける制御チャネル負荷、インターレースにおける総負荷、複数のフレームインターレースにおける相対的制御チャネル負荷、複数のフレームインターレースにおける相対的データチャネル負荷、または、他の適切なインターレース状況、のうちの１つ以上を含むことができる。方法５００は、次に、ブロック５０４に進み、ここで、ブロック５０２において決定されたインターレース状況に基づいて、インターレースにおいて、１つ以上の制御チャネルをスケジュールする。代替の例において、すべてのフレームインターレースにわたって、またはこれらの部分にわたって、制御チャネルを割り当てることができる。さらに、所定のフレームインターレース中の、すべてのフレームまたはフレームのサブセットにおいて、制御チャネルをスケジュールしてもよい。方法は、次に、ブロック５０６において終了し、ここで、適切なフレームインターレース中の割り当てられたフレームにおいて、制御チャネル情報を送信する。１つの例では、フレームインターレースにおいて、また、１つ以上の適切なスーパーフレームプリアンブルにおいて、制御情報を送信してもよい。
【００５０】
図６は、ワイヤレス通信システム（例えば、システム２００）中で、制御チャネルをスケジュールする方法６００を図示する。例えば、基地局（例えば、基地局２１０）によって、方法６００を実行できる。方法６００は、ブロック６０２において開始し、ここで、１つ以上のインターレースに対する制御チャネル負荷を決定する。１つの例では、各インターレースに対する制御チャネル負荷を、別々に測定することができる。さらに、および／または、代わりに、複数のインターレースにおける相対的負荷を決定することができる。次に、ブロック６０４において、決定された制御チャネル負荷に少なくとも部分的に基づいて、１つ以上のインターレースのフレームにおいて、移動体端末との通信用のＣＤＭＡ制御チャネルとＯＦＤＭＡ制御チャネルとのうちの少なくとも１つをスケジュールする。１つの観点にしたがうと、ブロック６０４において、１つのインターレースまたは複数のインターレースにおいて、そして、各スケジュールされたインターレース中の、すべてのフレームまたはフレームのサブセットにおいて、制御チャネルをスケジュールすることができる。さらに、ブロック６０４において、決定された制御チャネル負荷を使用して、フレームインターレースの間でシステムオーバーヘッドをバランスさせる程度と、１つ以上の端末から受信されたシグナリングの正確な処理のためにバッファリングが要求される程度と、システム中での断続的な送信の望ましさとを考察することができる。次に、ブロック６０４において、制御チャネルをスケジュールする際に、これらの考察とともに、他の適切な考察を用いることができる。
【００５１】
ブロック６０４において説明した動作を完了させると、方法６００は、ブロック６０６に続き、ここで、通信に対してスケジュールされた制御チャネルを使用して、端末からシグナリングを受信する。ブロック６０６において使用される制御チャネルは、例えば、ブロック６０４においてスケジュールされた、ＣＤＭＡ制御チャネルおよび／またはＯＦＤＭＡ制御チャネルであってもよい。さらに、シグナリングは、肯定応答（ＡＣＫ）、否定応答（ＮＡＣＫ）、要求（ＲＥＱ）、チャネル品質情報（ＣＱＩ）、電力制御情報、および／または、他の適切な制御情報とフィードバックを含むことができる。最後に、ブロック６０８において、肯定応答チャネル上で、移動体端末からの肯定応答を受信する。使用される肯定応答チャネルは、例えば、基地局（例えば、基地局２１０）から端末に対してデータおよび／またはシグナリングを送信するのに使用されるフォワードリンクチャネルに対応していてもよい。さらに、または代わりに、使用される肯定応答チャネルは、端末のＭＡＣ−ＩＤに対応していてもよい。
【００５２】
図７は、ワイヤレス通信システム中で、制御チャネルをスケジュールする方法７００を図示する。例えば、移動体端末（例えば、移動体端末２２０）によって、方法７００を実行することができる。方法７００は、ブロック７０２において開始し、ここで、１つ以上のインターレースのフレームにおける、基地局との通信用のＣＤＭＡ制御チャネルとＯＦＤＭＡ制御チャネルとのうちの１つ以上に対する割り当てを受信する。次に、ブロック７０４において、割り当てられた制御チャネルを使用して、基地局に対してシグナリングを送る。割り当てられた制御チャネルは、例えば、ブロック７０２において割り当てられた、ＣＤＭＡ制御チャネルおよび／またはＯＦＤＭＡ制御チャネルであってもよい。さらに、シグナリングは、肯定応答（ＡＣＫ）、否定応答（ＮＡＣＫ）、要求（ＲＥＱ）、チャネル品質情報（ＣＱＩ）、電力制御情報、および／または、他の適切な制御情報とフィードバックを含むことができる。最後に、ブロック７０６において、肯定応答チャネル上で、基地局に対して肯定応答を送る。ブロック７０６において使用される肯定応答チャネルは、例えば、基地局（例えば、基地局２１０）から端末に対してデータおよび／またはシグナリングを送信するのに使用されるフォワードリンクチャネルに対応していてもよい。さらに、または代わりに、使用される肯定応答チャネルは、端末のＭＡＣ−ＩＤ（例えば、方法７００を実行している端末のＭＡＣ−ＩＤ）に対応していてもよい。
【００５３】
ここで図８を参照すると、ここで説明した１つ以上の実施形態がその中で機能してもよい例示的なワイヤレス通信システム８００を図示するブロック図が提供される。１つの観点にしたがうと、システムで８００は、アクセスポイント１１０と、ユーザ１２０ｘおよび１２０ｙを含む。１つの例では、アクセスポイント１１０は、データ源８１２からトラフィックデータ（例えば、情報ビット）を受け取る、送信（ＴＸ）データプロセッサ８１４を含む。さらに、ＴＸデータプロセッサは、制御装置８２０および／またはスケジューラ８３０から、シグナリングと、他の情報とを受け取ることができる。例えば、制御装置８２０は、アクティブユーザ端末１２０の送信電力を調整するのに使用される電力制御（ＰＣ）コマンドを提供してもよく、スケジューラ８３０は、ユーザ端末１２０に対する搬送波の割り当てを提供してもよい。１つの観点にしたがうと、トラフィックと、他のタイプのデータとを、異なるトランスポートチャネル上で送ってもよい。したがって、１つの例では、ＴＸデータプロセッサ８１４は、直交周波数分割多重（ＯＦＤＭ）のような多重搬送波変調を使用して、データをエンコードし、変調して、変調されたデータ（例えば、ＯＦＤＭシンボル）を提供できる。送信機ユニット（ＴＭＴＲ）８１６は、次に、この変調されたデータを処理して、ダウンリンク変調された信号を発生させることができ、これを、次に、アンテナ８１８から送信することができる。
【００５４】
別の例において、各ユーザ端末１２０ｘおよび１２０ｙは、変調され、送信された信号を、アンテナ８５２を介して受信できる。次に、信号を受信機ユニット（ＲＣＶＲ）８５４に提供できる。受信機ユニット８５４は、受信信号を処理し、デジタル化して、サンプルを提供でき、次に、これを、受信（ＲＸ）データプロセッサ８５６によって復調し、デコードして、デコードされたデータを提供することができる。デコードされたデータは、例えば、回復されたトラフィックデータと、メッセージと、シグナリングと、他の適切なタイプのデータとを含んでもよい。ＲＸデータプロセッサ８５６によって回復されたトラフィックデータを、データシンク８５８に提供してもよい。さらに、アクセスポイント１１０から受信された搬送波割り当てと、ＰＣコマンドとを、制御装置８６０に提供できる。
【００５５】
ユーザ端末１２０において、制御装置８６０は、アクセスポイント１１０によって端末に対して割り当てられ、受信された割り当て中で指示されたリソースを使用して、アップリンクデータ送信を命令する。１つの例では、送信用のデータは何もないが、割り当てられたリソースを保持することをユーザ端末１２０が望むとき、制御装置８６０は、消去署名パケットを射出できる。アクセスポイント１１０において、制御装置８２０は、ユーザ端末１２０に対して割り当てられたリソースを使用して、ダウンリンクデータ送信を命令する。１つの例では、送信用のデータは何もないが、割り当てられたリソースを保持することをアクセスポイント１１０が望むときに、制御装置８２０もまた、消去署名パケットを射出できる。
【００５６】
別の例において、各アクティブ端末１２０中のＴＸデータプロセッサ８７４が、データ源８７２からトラフィックデータを受け取ることができる。さらに、ＴＸデータプロセッサ８７４は、制御装置８６０からシグナリングと、他の情報とを受け取ることができる。例えば、制御装置８６０は、チャネル品質情報や、要求される送信電力や、最大送信電力や、または、端末１２０に対する最大送信電力と要求される送信電力との間の差を示す情報を提供してもよい。ＴＸデータプロセッサ８７４は、次に、割り当てられた搬送波を使用して、データをコード化し、変調することができる。一度、コード化され、変調されると、送信機ユニット（ＴＭＴＲ）８７６によって、データをさらに処理して、アップリンク変調された信号を発生させることができ、これを、次に、アンテナ８５２を介して、アクセスポイント１１０に対して送信できる。
【００５７】
１つの観点にしたがうと、各ユーザ端末１２０からの、変調され、送信された信号を、アンテナ８１８を介して、アクセスポイント１１０によって受信し、受信機ユニット（ＲＣＶＲ）８３２によって処理し、そして、ＲＸデータプロセッサ８３４によって復調し、デコードすることができる。受信機ユニット８３２は、各ユーザ端末１２０からの受信信号の品質（例えば、信号対雑音比（ＳＮＲ））を推測でき、この情報を制御装置８２０に対して提供できる。制御装置８２０は、次に、各ユーザ端末１２０に対する受信信号品質が、受入可能な範囲内に維持されるように、各ユーザ端末１２０に対するＰＣコマンドを導出することができる。さらに、ＲＸデータプロセッサ８３４は、ユーザ端末１２０に対する回復されたフィードバック情報（例えば、要求される送信電力）を、制御装置８２０とスケジューラ８３０とに対して提供できる。少なくとも部分的にフィードバック情報に基づいて、スケジューラ８３０は、制御装置８２０に対して、リソースを維持する指示を提供してもよい。例えば、より多くのデータを送信することがスケジュールされている場合に、この指示を提供できる。同様に、ユーザ端末１２０中の制御装置８６０もまた、リソースを維持することが要求されているか否かを決定してもよい。別の例では、アクセスポイント１１０における制御装置８２０が、スケジューラ８３０の機能を使用可能にする命令を実行できる。
【００５８】
図９は、ここで説明するさまざまな観点にしたがって、ワイヤレス通信環境中で、１つ以上のワイヤレス端末の間での制御チャネルのスケジューリングを調整するシステム９００のブロック図である。１つの例では、システム９００は、基地局またはアクセスポイント９０２を含む。図示するように、アクセスポイント９０２は、受信（Ｒｘ）アンテナ９０６を介して、１つ以上のアクセス端末９０４から信号を受信でき、送信（Ｔｘ）アンテナ９０８を介して、１つ以上のアクセス端末９０４に対して信号を送信できる。
【００５９】
さらに、アクセスポイント９０２は、受信アンテナ９０６から情報を受け取る受信機９１０を具備することができる。１つの例では、受信情報を復調する復調器（Ｄｅｍｏｄ）９１２に、受信機９１０を動作可能に関係付けることができる。次に、プロセッサ９１４によって、復調されたシンボルを解析できる。プロセッサ９１４は、コードクラスタ、アクセス端末割り当て、これらに関連するルックアップテーブル、特有のスクランブリングシーケンス、および／または、他の適切なタイプの情報を記憶できる、メモリ９１６に結合されてもよい。さらに、および／または、代わりに、プロセッサ９１４は、１つ以上のフレームインターレース上の負荷および／または他の状況の決定と、アクセス端末９０４との通信に使用される制御チャネルのスケジューリングを容易にすることができる、スケジューリングコンポーネント９２２に結合されてもよい。１つの例では、アクセスポイント９０２は、プロセッサ９１４に関係して、またはプロセッサ９１４から独立してのいずれかで、インターレースコンポーネント９２２を用いて、方法５００、方法６００、および／または、他の類似した、適切な方法を実行することができる。アクセスポイント９０２はまた、送信機９２０による、送信アンテナ９０８を通しての、１つ以上のアクセス端末９０４に対する送信用に、信号を多重化できる、変調器９１８を含んでもよい。
【００６０】
図１０は、ここで説明するさまざまな観点にしたがった、通信スケジュールに基づいて、ワイヤレス通信環境におけるシグナリングの通信を調整するシステム１０００のブロック図である。１つの例では、システム１０００は、アクセス端末１００２を含む。図示したように、アクセス端末１００２は、１つ以上のアクセスポイント１００４から信号を受信でき、アンテナ１００８を介して、１つ以上のアクセスポイント１００４に対して信号を送信できる。さらに、アクセス端末１００２は、アンテナ１００８から情報を受け取る受信機１０１０を具備することができる。１つの例において、受信情報を復調する復調器（Ｄｅｍｏｄ）１０１２に、受信機１０１０を動作可能に関係付けることができる。プロセッサ１０１４によって、復調されたシンボルを解析することができる。プロセッサ１０１４は、メモリ１０１６に結合されていてもよく、メモリ１０１６は、アクセス端末１００２に関連するデータおよび／またはプログラムコードを記憶できる。さらに、アクセス端末１００２は、プロセッサ１０１４を用いて、方法５００、６００、および／または、他の適切な方法を実行することができる。アクセス端末１００２はまた、送信機１０２０による、アンテナ１００８を通しての、１つ以上の基地局１００４に対する送信用に、信号を多重化できる変調器１０１８を含んでもよい。
【００６１】
図１１は、ワイヤレス通信システム（例えば、システム２００）中の、インターレースベースの制御チャネルバランシングを容易にするシステム１１００を図示する。プロセッサや、ソフトウェアや、または、これらの組み合わせ（例えば、ファームウェア）によって実現される機能を表す機能ブロックであってもよい、機能ブロックを含むとしてシステム１１００を表したことを理解すべきである。基地局（例えば、基地局２１０）、または、端末（例えば、移動体端末２２０）において、システム１１００を実現することができ、そして、システム１１００は、インターレース状況を決定するモジュール１１０２を含むことができる。さらに、システム１１００は、インターレース状況に基づいて、インターレースフレームにおいて、制御チャネルをスケジュールするモジュール１１０４と、割り当てられたインターレースフレームにおいて、制御チャネルを送信するモジュール１１０６とを含むことができる。
【００６２】
図１２は、ワイヤレス通信システム中で、制御チャネルをスケジュールする装置１２００を図示する。プロセッサや、ソフトウェアや、または、これらの組み合わせ（例えば、ファームウェア）によって実現される機能を表す機能ブロックであってもよい、機能ブロックを含むとして装置１２００を表したことを理解すべきである。装置１２００は、基地局に関連して実現することができ、そして、１つ以上のインターレースにおける制御チャネル負荷を決定するモジュール１２０２を含むことができる。さらに、装置１２００は、インターレース上の制御チャネルの負荷に基づいて、１つ以上のインターレースのフレームにおいて、移動体端末との通信用の制御チャネルをスケジュールするモジュール１２０４と、通信に対してスケジュールされた制御チャネルを使用して、移動体端末からシグナリングを受信するモジュール１２０６と、フォワードリンクチャネルおよび／または端末ＭＡＣ−ＩＤに対応している肯定応答チャネル上で、移動体端末から肯定応答を受信するモジュール１２０８とを含むことができる。
【００６３】
図１３は、ワイヤレス通信システム中の、スケジュールされた制御チャネル上で、シグナリングを通信する装置１３００を図示する。プロセッサや、ソフトウェアや、または、これらの組み合わせ（例えば、ファームウェア）によって実現される機能を表す機能ブロックであってもよい、機能ブロックを含むとして装置１３００を表したことを理解すべきである。装置１３００は、移動局に関連して実現することができ、そして、１つ以上のインターレースのフレームにおける、基地局との通信用の制御チャネルに対する割り当てを受信するモジュール１３０２を含むことができる。さらに、装置１３００は、割り当てられた制御チャネルを使用して、基地局に対してシグナリングを送るモジュール１３０４と、フォワードリンクチャネルおよび／または端末ＭＡＣ−ＩＤに対応している肯定応答チャネル上で、基地局に対して肯定応答を送るモジュール１３０６とを含むことができる。
【００６４】
ここで説明した実施形態を、ハードウェアや、ソフトウェアや、ファームウェアや、ミドルウェアや、マイクロコードや、または、これらの任意の組み合わせによって実現してもよいことが理解される。システムおよび／または方法が、ソフトウェアや、ファームウェアや、ミドルウェアや、あるいは、マイクロコード、プログラムコード、またはコードセグメント中で実現されるとき、これらを、記憶コンポーネントのような、機械読取可能媒体中に記憶してもよい。コードセグメントは、手続や、関数や、サブプログラムや、プログラムや、ルーチンや、サブルーチンや、モジュールや、ソフトウェアパッケージや、クラスや、あるいは、命令、データ構造、またはプログラムステートメントの何らかの組み合わせを表してもよい。コードセグメントは、情報や、データや、引数や、パラメータや、またはメモリコンテンツを送ること、および／または、受け取ることによって、別のコードセグメントまたはハードウェア回路に結合されてもよい。メモリ共有、メッセージパッシング、トークンパッシング、ネットワーク送信等を含む任意の適切な手段を使用して、情報、引数、パラメータ、データ等を送ってもよく、転送してもよく、または送信してもよい。
【００６５】
ソフトウェアの実施に関して、ここで説明した技術を、ここで説明した機能を実行するモジュール（例えば、手続、関数等）で実施してもよい。メモリユニット中にソフトウェアコードを記憶してもよく、プロセッサによって実行してもよい。メモリユニットは、プロセッサ内部で、または、プロセッサに対して外付けで実現されてもよく、このケースでは、技術的に知られているさまざまな手段により、プロセッサと通信可能にそれを結合させることができる。
【００６６】
上で説明したことは、１つ以上の実施形態の例を含む。もちろん、前述の実施形態を説明する目的で、考えられる、あらゆるコンポーネントまたは方法の組み合わせを説明することはできないが、さまざまな実施形態の、多くのさらなる組み合わせと置換が可能であることを当業者は理解するだろう。したがって、説明した実施形態は、添付の特許請求の範囲の精神と範囲内に入る、すべてのこのような代替と、修正と、変形とを包含することを意図している。さらに、詳細な説明または特許請求の範囲のいずれかにおいて、用語“含む”が使用される限りでは、このような用語は、“具備する”が、特許請求の範囲中で、移行語として用いられるときに解釈されるように、用語“具備する”に類似した方法で、包括的であることを意図している。さらに、詳細な説明または特許請求の範囲のいずれかにおいて使用される、用語“または”は、“制限的でないまたは”を意味している。
【図１】
2009538062.tif 000003
【図２】
2009538062.tif 000004
【図３】
2009538062.tif 000005
【図４】
2009538062.tif 000006
【図５】
2009538062.tif 000007
【図６】
2009538062.tif 000008
【図７】
2009538062.tif 000009
【図８】
2009538062.tif 000010
【図９】
2009538062.tif 000011
【図１０】
2009538062.tif 000012
【図１１】
2009538062.tif 000013
【図１２】
2009538062.tif 000014
【図１３】
2009538062.tif 000015
【国際調査報告】
2009538062.tif 000016
2009538062.tif 000017
2009538062.tif 000018